(57)【要約】【課題】  本発明は、階段を登り続けているはずなのにもとの位置へもどってしまうという無限ループ階段の錯覚を参加者に与えることを目的とした体験型の錯覚発生装置と、その錯覚効果を強めることを目的とした錯覚強化方法を提供するものである。【解決手段】  通常の階段とその両側の風景を、階段進行方向が水平となるまで回転させてできる水平進行階段を環状につないだ錯覚発生装置と、斜めに落ちる滝や強い向かい風など水平方向をわかりにくくする補助手段を組み合わせることによって、そこを歩く参加者に、無限ループ階段を体験したかのような錯覚を与える。【選択図】          図４
2005253897.tif 000002
【特許請求の範囲】
【請求項１】
水平なステップ面と垂直な接続面が交互につながれて上昇斜面を構成する通常の階段構造およびそのまわりの景色の全体を、上昇斜面が水平面と平行になるように回転させることによって、階段のステップ面を順に歩いても垂直方向の高さが変わらない床構造を作り、それを環状につなぐことによって、そこを歩く人にあたかも無限に階段を登り続けるかのような誤った印象を与えることを目的とした錯覚発生装置。
【請求項２】
請求項１の錯覚発生装置において、床のステップ面があたかも水平であるかのような誤った印象を与える効果を補強することを目的として、階段の両側に本来なら垂直に立っているはずの自然物および人工物を、階段構造と同じ角度だけ回転させて配置する錯覚強化方法。
【請求項３】
請求項１の錯覚発生装置において、床のステップ面があたかも水平であるかのような誤った印象を与える効果を補強することを目的として、本来なら垂直に落下するはずの滝の水を、階段と同じ角度だけ回転させた方向へ強制的に噴射させた人工滝を配置する錯覚強化方法。
【請求項４】
請求項１の錯覚発生装置において、床のステップ面が水平でないことを歩く人に気づかせないようにすることを目的として、床面を凹凸のはげしい素材で作る錯覚強化方法。
【請求項５】
請求項１の錯覚発生装置において、床のステップ面が水平でないことを歩く人に気づかせないようにすることを目的として、強い向かい風あるいは追い風を人工的に作り、歩く人が体を傾斜させないと歩きにくくする錯覚強化方法。
【請求項６】
請求項１の錯覚発生装置において、床のステップ面が水平でないことを歩く人に気づかせないようにすることを目的として、この構造全体を、水面に浮遊する施設の中に設置する錯覚強化方法。
【発明の詳細な説明】
【発明の詳細な説明】
【技術分野】
【０００１】  本発明は、階段を登り続けているはずなのにいつの間にか出発点へもどってしまうというあり得ない現象を体感したかのような錯覚を生じさせる参加型錯覚発生装置に関するものである。
【背景技術】
【０００２】  階段が環状につながっていて登り続けているはずなのにいつの間にかもとへもどってしまうという無限ループ階段があるかのような錯覚を生じさせる装置はすでにいくつかある。その第一は、オランダの版画家エッシャーの作品などに現れるだまし絵である（たとえば、朝日新聞社刊「エッシャーの世界」を参照）。その第二は、つながっているように見える階段に、奥行き方向の不連続性を設けることによって、ある特定の視点から見たとき、無限ループ階段に見える立体展示物である（たとえば、ブルーノエルンスト著「錯視」（ベネディクトタッシェン出版社）に紹介されている福田繁夫の作品を参照）。その第三は、空間においてねじれの位置にある直線が、特定の視点からは平行に見えるという性質を利用した立体展示物である（杉原、早川著「だまし絵であそぼう」（岩波書店）を参照）。
【発明が解決しようとする課題】
【０００３】  従来の技術が提供する錯覚発生装置はすべて展示物であり、見ることによって無限ループ階段の錯覚を生じさせるものである。
【０００４】  一方、本発明は、見ることによって生じる従来の錯覚とは異なり、自らが空間の中に入り込んで歩くという体験によって無限ループ階段を体感することのできる参加型の錯覚発生装置を提供することを目的としている。
【課題を解決するための手段】
【０００５】  通常の階段は、図１に示すように、水平なステップ面１と垂直な接続面２が交互につながれた構造をもち、全体としてこの図の破線矢印に示す上昇傾斜をもった階段進行方向３を形成している。したがって、ステップ面を順に歩くことによって、垂直方向の位置が上昇する。
【０００６】  この階段の進行方向に直交する水平な軸のまわりに、図２に示すように階段進行方向３′が水平になるまで階段全体を回転させてできる床構造を、水平進行階段と名付ける。この水平進行階段では、ステップ面１′を順に歩いたとき、垂直方向の高さは変わらない。したがって、水平進行階段をロの字型または円形につないで環状の構造を作ると、ステップ面を順に歩いたとき、もとへもどる。これが、本錯覚発生装置の基本構造である。
【０００７】  ただし、水平進行階段では、図２に示すとおり、ステップ面１′は水平ではなく、傾斜をもつ。この傾斜を歩く人に気づかれないようにするために、以下の仕掛けを、環境が許す範囲でできるだけ多く導入して総合的に利用する。
【０００８】  第一に、階段の両側に木立、竹やぶなどの自然物および、建物、へいなどの人工物を配置して、階段に立つ人からは、遠くが見渡せないようにする。これによって、階段に立つ人には、自分の前と後の限られた範囲しか見えず、環状につながった水平進行階段の真の全体像の把握を不可能にする。これによって、請求項１の錯覚強化方法を実現することができる。
【０００９】  第二に、階段の両側の自然物および人工物を階段と同じ角度だけ回転させて、見かけ上の垂直方向を、水平進行階段のステップ面に直交させる。これによって、ステップ面が水平であるかのような誤った印象を視覚的に与えることができ、請求項２の錯覚強化方法を実現することができる。
【００１０】  第三に、階段と同じ角度だけ回転させた方向へ水を噴射させて斜めに水が落下する人工の滝を作り、これを階段の横に配置する。これを見た人は、滝の水は垂直に落下するという先入観から、この滝の水の落下方向が垂直方向であるという誤った印象をもち、ステップ面が水平であるかのような錯覚の効果を強めることができる。これによって、請求項３の錯覚強化方法を実現することができる。
【００１１】  第四に、水平進行階段のステップ面を、なめらかな平面ではなくて、石畳や砂利などの凹凸のはげしい素材で作る。その結果、ステップ面に落ちた物が傾斜方向に転がることを妨げ、また、その上に立つ人の足場の安定性を減少させ、いずれも、ステップ面が水平でないことをわかりにくくする効果をもたらす。これによって、請求項４の錯覚強化方法を実現することができる。
【００１２】  第五に、水平進行階段を歩く人に対して、強い向かい風あるいは強い追い風を人工的に作る。その結果、ステップ面を歩く人は、体を傾斜させないと歩きにくくなる。そのように自ら体を傾斜させることによって、真の垂直方向に関する感性が希薄になり、ステップ面が水平でないことをわかりにくくする効果をもたらす。これによって、請求項５の錯覚強化方法を実現することができる。
【００１３】  第六に、水平進行階段を、船や浮き島などの水上に浮遊する施設の中に作る。このような施設は常に揺れていて、真の水平方向がそもそもわかりにくいから、水平進行階段のステップ面が水平でないこともわかりにくくなる。これによって、請求項６の錯覚強化方法を実現することができる。
【発明を実施するための最良の形態】
【００１４】  発明の実施の形態を、一つの実施例にもとづき図面を参照して説明する。【００１５】  この実施例では、図３に示すように、四つの水平進行階段４、５、６、７をロの字形に接続して環状の床構造を作る。ただし、この水平進行階段は、図３に太い矢印で示すように反時計回りに進むものとし、この向きに進んだとき階段を登る印象を与えるようにステップ面に傾斜をつける。また二つの水平進行階段が接続される角の部分には踊り場８、９、１０、１１を設ける。【００１６】  水平進行階段は、凹凸のある石を並べた石畳で作る。これによって、ステップ面の向きをわかりにくくし、ステップ面が傾斜していることを知覚する手がかりを弱める。【００１７】  水平進行階段の左側には、図４に示すように、直方体の石またはブロックを積み上げた塀を設ける。この塀は、反対側が見えないように、人間の身長より高くする。また、塀を構成する石またはブロックは、水平進行階段のステップ面に平行に積み上げる。これによって、ステップ面が水平であるかのような印象を与え、錯覚の効果を強める。【００１８】  水平進行階段の左側には、図５に示すように、多数の立木を植えて森を作る。この立木は水平進行階段を作るときに階段を回転させたのと同じ角度だけ傾ける。これによって、立木の方向が垂直方向であり、したがってステップ面は水平であるという誤った印象を与え、錯覚の効果を強める。また、森の奥の山の斜面には、立木に平行な方向に強制的に水を噴射させた人工の滝を設け、この方向が垂直方向であるという誤った印象を与える錯覚の効果をさらに強める。【００１９】  隣り合う二つの水平進行階段では、ステップ面の傾斜の向きが異なる。この不整合を隠すために、踊り場はゴツゴツした石を並べて作る。これによって、踊り場の面の方向がわかりにくくなり、隣り合った二つの水平進行階段のステップ面が異なることに気づきにくくなる。【００２０】  さらに、踊り場付近の両側には、図３に示すように、雑木林の領域１２、１３、１４、１５、１６、１７、１８、１９を設ける。これらの雑木林では、立木が種々の方向にランダムに向くように植樹し、どの方向が垂直であるかの手がかりを消す。これによっても、隣り合う二つの水平進行階段のみかけの垂直方向が異なることを知覚しにくくする。【００２１】  また、踊り場の外側の雑木林の奥には、図３に示すように、大型扇風機２０、２１、２２、２３を見えないように設置して、そこから強い風を吹きつける。この風に向かって進もうとして人が体を前に傾斜させることが、どの方向が垂直かを体で感じる能力を失わせる効果をもたらす。【００２２】  以上の設定によって、請求項１に述べた錯覚発生装置と、請求項２、３、４、５に述べた錯覚強化方法を組み合わせることができ、無限ループ階段を体感できる錯覚発生装置を実現できる。
【発明の効果】
【００２３】  本装置は、実際には水平進行階段の上を水平方向に進んでいるにもかかわらず、ステップ面の方向が水平方向であるという誤った印象を与える多数の仕掛けが組み込まれているために、それらの総合的効果として、階段を登り、高さ方向に上昇しているという錯覚を参加者に生じさせることができる。その結果、参加者は、階段をいつまでも登り続けるというあり得ないことを体験したという印象をもつ。これによって、無限ループ階段を体感させるという本装置の目的を達成することができる。
【図面の簡単な説明】
【図１】  通常の階段の側面図である。
【図２】  階段進行方向が水平になるように回転した階段の側面図である。
【図３】  四つの水平進行階段をロの字型につないで作った無限ループ階段の錯覚発生装置の平面図である。
【図４】  図３の錯覚発生装置の水平進行階段の左側に設置される石塀の例である。
【図５】  図３の錯覚発生装置の水平進行階段の右側に設置される林の例である。
【符号の説明】
１  ステップ面
２  接続面
３  上昇傾斜をもつ階段進行方向
１′回転後のステップ面
２′回転後の接続面
３′回転後の階段進行方向
４、５、６、７    水平進行階段
８、９、１０、１１    踊り場
１２、１３、１４、１５    内側の雑木林
１６、１７、１８、１９    外側の雑木林
２０、２１、２２、２３    大型扇風機
【図１】
2005253897.tif 000003
【図２】
2005253897.tif 000004
【図３】
2005253897.tif 000005
【図４】
2005253897.tif 000006
【図５】
2005253897.tif 000007